(57)【要約】【課題】タイルの剥離等の虞を減少させて、外観品質が良好で、ユニット建物特有の先進性を象徴する様な現代的な外観を得られて、しかも、生産性が良好な建物ユニットを提供する。【解決手段】外壁４０を構成する外壁パネル１５，１５の割付区画線となるモジュール線ｍ１〜が仮想設定され、建物ユニット端部ｍ０に最も近接したモジュール線ｍ１までの寸法ｄ（ｄ＝１０７ミリメートル）より僅かに小さい寸法ｗ１（ｗ１＝１００ミリメートル）を一辺とする視覚上正方形のタイル２８…が、縦横に各タイル２８，２８間に形成される縦，横目地２９，３０を通して貼設されている建物ユニットである。【選択図】図１
2004308277.tif 000002
【特許請求の範囲】
【請求項１】
外壁にタイルが貼設された建物ユニットであって、
前記外壁を構成する外壁パネルの割付区画線となるモジュール線が仮想設定され、前記建物ユニット端部に最も近接した該モジュール線までの寸法より僅かに小さい寸法を一辺とする視覚上正方形のタイルが、縦横に各タイル間に形成される目地を通して貼設されることを特徴とする建物ユニット。
【請求項２】
建物の外壁として使用されるタイルが貼設された外壁パネルであって、
前記外壁を構成する外壁パネルの割付区画線となるモジュール線が仮想設定され、前記建物端部に最も近接した該モジュール線までの寸法より僅かに小さい寸法を一辺とする視覚上正方形のタイルが、縦横に各タイル間に形成される目地を通して貼設されることを特徴とする外壁パネル。
【発明の詳細な説明】
【０００１】
【発明の属する技術分野】
この発明は、外壁にタイルが貼設されたユニット建物及び外壁パネルに関するものである。
【０００２】
【従来の技術】
従来、外壁にタイルが貼設された建物ユニットが知られている（例えば、特許文献１参照）。
【０００３】
このようなものでは、図４及び図５に示すようなユニット建物を構成する建物ユニット１が、直方体の輪郭を有し、４隅に柱２，２を有すると共に、各柱２，２の上下端間を上，下枠フレーム部材３，３及び４等で連結して、ボックスラーメン構造を呈している。
【０００４】
この建物ユニット１の外周面には、ユニット建物の外側面で、外壁相当部分に、外壁パネル５ａ，５ｂが貼設されている。
【０００５】
このうち、外壁パネル５ａは、ユニット端部ｍ０から最も近く、前記建物ユニット１の外側面に仮想的に設けられたモジュール線ｍ１又はｍ５に側端縁を沿わせて設けられていて、横方向幅ｃ（約１０７ミリメートル）を有するタイル６ｃ…が、縦一列に貼設されている。
【０００６】
また、外壁パネル５ｂは、前記建物ユニット１の外側面に仮想的に設けられたモジュール線ｍ１，ｍ２，ｍ３…に側端縁を沿わせて、一定間隔（この従来のものでは、ａ＝約９００ミリメートル）を置いて設けられていて、ユニット端部ｍ０から最も近いモジュール線ｍ１又はｍ５までの間隔ｄを約１０７ミリメートルとしている。
【０００７】
この外壁パネル５ｂの外側面には、横方向幅ｂ（ｂ＝約２２０ミリメートル，ｃ＝約１０７ミリメートル）を有するタイル６ｂが、馬踏み目地状に、交互に貼設されている。
【０００８】
このように構成された従来の建物ユニットでは、建物ユニット端部ｍ０の外壁パネル５ａに貼設されるタイル６ｃの幅ｃが、前記外壁パネル５ａの幅に合わせて、前記ユニット端部ｍ０から最も近いモジュール線ｍ１までの間隔（ｍ０，ｍ１）ｄであるｄ＝約１０７ミリメートル以下となるように構成されている。
【０００９】
その理由は、図５に示すように、建物ユニット１，１が隣接配置された箇所では、建物ユニット１，１間の境界によって分割された外壁パネル５ａ及び５ａに跨ってタイル６ｂを貼設するのは、両外壁パネル５ａ及び５ａ間の変位によって剥離しやすくなると共に、パネルを工場でユニットへ取り付けする際に、予めタイルを前記外壁パネル５ａ，５ｂ等に貼設しておく方が、前記建物ユニット１の生産性の面からも好ましいためである。
【００１０】
【特許文献１】
特公昭６２−６２２２４号公報
【００１１】
【発明が解決しようとする課題】
しかしながら、このように構成された従来のものでは、建物ユニット１の端部ｍ０近傍に貼設される外壁パネル５ａ以外の外壁パネル５ｂでは、より幅の広いタイル６ｂの採用も可能であるが、図５に示すように、部位によってタイル６ｂ，６ｃの幅ｂ，ｃが異なると、外観の統一感が損なわれ、外観品質が低下する虞があった。
【００１２】
また、従来、タイル６ｂの視覚上の形状は、横長（長短比１．５倍以上）が主流である。
【００１３】
このような横長のタイルは、安定感があり、古典的・伝統的な趣向がある。
【００１４】
しかしながら、図６に示すように建物ユニット１，１が隣接される境界部分で外壁パネル５，５が、直接突き合わされる部分に、前記タイル６ｂを丁度半分としたような横幅の短いタイル６ｄ，６ｄが貼設されると、縦横比の中途半端な（長短比１．１〜１．３倍）小さなタイル６ｄ，６ｄが、前記タイル６ｂと上下方向で、交互に多数貼られて猥雑な印象を与えてしまう虞があった。
【００１５】
また、ユニット建物では、上記のような古典的・伝統的な外観のみならず、ユニット建物の先進性を象徴するような現代的な外観も求められている。
【００１６】
そこで、この発明は、タイルの剥離等の虞を減少させて、外観品質が良好で、ユニット建物特有の先進性を象徴する様な現代的な外観を得られて、しかも、生産性が良好な建物ユニットを提供することを目的としている。
【００１７】
【課題を解決するための手段】
上記目的を達成するために、請求項１に記載された発明では、外壁にタイルが貼設された建物ユニットであって、前記外壁を構成する外壁パネルの割付区画線となるモジュール線が仮想設定され、前記建物ユニット端部に最も近接した該モジュール線までの寸法より僅かに小さい寸法を一辺とする視覚上正方形のタイルが、縦横に各タイル間に形成される目地を通して貼設される建物ユニットを特徴としている。
【００１８】
ここで、「僅かに小さい」とは、その差分がタイルの目地寸法として視覚上違和感のない程度であり、具体的には、１０ｍｍ以下である。
【００１９】
このように構成された請求項１記載のものでは、視覚上正方形のタイルが、縦横に各タイル間に形成される目地を通して貼設されるので、寸法の小さいタイルであっても、整然として外観品質が良好である。
【００２０】
従って、ユニット建物特有の先進性を象徴する様な現代的な外観を得られる。
【００２１】
また、該タイルは、前記建物ユニット端部に最も近接した該モジュール線までの寸法より僅かに小さい寸法を一辺とするように構成されているので、外壁パネル間に跨ってタイルが貼設されることが無く、両側の外壁パネル間の変位によって剥離することがない。
【００２２】
このため、予め工場内等で、外壁パネルにタイルを全て貼設施工することが出来るので、生産性を良好なものとすることができる。
【００２３】
また、請求項２に記載されたものでは、建物の外壁として使用されるタイルが貼設された外壁パネルであって、前記外壁を構成する外壁パネルの割付区画線となるモジュール線が仮想設定され、前記建物端部に最も近接した該モジュール線までの寸法より僅かに小さい寸法を一辺とする視覚上正方形のタイルが、縦横に各タイル間に形成される目地を通して貼設される外壁パネルを特徴としている。
【００２４】
ここで、「僅かに小さい」とは、その差分がタイルの目地寸法として視覚上違和感のない程度であり、具体的には、１０ｍｍ以下である。
【００２５】
このように構成された請求項２記載のものでは、予め工場内等で、外壁パネルにタイルを全て貼設施工することが出来るので、生産性を良好なものとすることができる。
【００２６】
【発明の実施の形態】
次に、図面に基づいてこの発明の実施の形態の外壁パネルが装着されてユニット建物を構成する建物ユニットについて説明する。
【００２７】
なお、前記従来と同一乃至均等な部分については、同一符号を付して説明する。
【００２８】
図１乃至図３は、この発明の実施の形態の建物ユニットを示す図である。
【００２９】
まず、構成を説明すると、この発明の実施の形態に係るユニット建物１０は、基礎１１と、基礎１１上に組み合わせられて、建物本体１２を構成する複数の１階建物ユニット１３，１３及び２階建物ユニット１４，１４等によって、主に構成されている。
【００３０】
この実施の形態の建物ユニット１３，１４は、各々図４に示す従来の建物ユニット１と略同様に、直方体の輪郭を有し、４隅に柱２，２を有すると共に、各柱２，２の上下端間が上，下枠フレーム部材３，３及び４，４で連結されて、ボックスラーメン構造を呈している。
【００３１】
この建物ユニット１３，１４の外周面には、ユニット建物１０の外側面には、外壁パネル１５ａ，１５ｂ及び１６ａ，１６ｂが、複数枚貼設されて、主に構成される外壁４０が設けられている。
【００３２】
これらの外壁パネル１５ａ，１６ａは、前記建物ユニット１３，１４の外側面に仮想的に設けられたモジュール線ｍ１，ｍ２，…ｍ５に各側端縁を沿わせて、一定間隔（この実施の形態のものでは、ａ＝約９００ミリメートル）を置いて設けられていて、ユニット端部ｍ０から最も近いモジュール線ｍ１又はｍ５までの寸法ｄをｄ＝約１０７ミリメートルとしている。
【００３３】
このうち、前記外壁パネル１６ａ，１６ｂは、図１に示すように、前記外壁パネル１５ａ，１５ｂと構成において、上辺部の板状に突出する部分の幅が相違するのみで、略同一であるので、外壁パネル１５ａ，１５ｂの構成を中心に説明する。
【００３４】
この実施の形態の外壁４０の屋内側には、図３に示すように、建物ユニット１の柱２に沿って隣接配置されて、周縁の枠体を構成する木枠体１７，１７に、木桟１８，１８を介して装着されて、屋内側壁面を構成する平板状の石膏ボード１９が設けられている。
【００３５】
また、この外壁４０の屋外側には、前記柱２，２又は、木枠体１７の外側面に、上，下方向に沿って、ブラケット部材２０ａ及び防水シート２０ｂを介して、外壁パネル１５ａ，１５ｂが設けられている。
【００３６】
このうち、前記外壁パネル１５ａは、幅１０７ｍｍ以下の横幅が細いパネルである共に、外壁パネル１５ｂは、幅９００ｍｍ以下の横幅が太いパネルである。
【００３７】
各外壁パネル１５ａ，１５ｂは、金属製フレーム２０，２１に、セメントボードで構成される下地板材２２，２３の裏面側が、貼着され、更に、後述のタイルにて構成されている。
【００３８】
更に、前記石膏ボード１９と、この下地板材２２との間の間隙及び、前記柱２，２の室内側側面２ａ，２ａとの間の間隙には、断熱材２４，２５が各々充填されている。
【００３９】
また、前記下地板材２２，２３間には、ガスケット部材２６，２６が各々嵌着されている。
【００４０】
更に、前記隣接配置された建物ユニット１４，１４の柱２，２の対向する側面間には、防水ロッド部材２７が介在されると共に、前記下地板材２３，２３間及び前記金属製フレーム２０，２０間には、ガスケット部材２６が嵌着されていて、各下地板材２２，２３間及び２３，２３間を水密状態としている。
【００４１】
そして、これらの各下地板材２２，２３には、前記ユニット端部ｍ０から最も近いモジュール線ｍ１までの寸法ｄより僅かに小さい寸法ｗ１（ｗ１＝１００ミリメートル）の一辺を有すると共に、直交する高さ方向の寸法ｈ１（ｈ１＝１００ミリメート）の他辺を有することにより、視覚上正方形のタイル２８，２８が、一定間隔を置いて、縦横に整列貼設されている。
【００４２】
すなわち、これらの各タイル２８，２８は、各タイル２８，２８間に、縦横に一直線状に形成される目地２９…，３０…が通されるようにして貼設されている。
【００４３】
次に、この実施の形態の作用について説明する。
【００４４】
このように構成された実施の形態の建物ユニットでは、図１に示すように、視覚上正方形のタイル２８，２８…が、縦横に各タイル２８，２８間に形成される縦，横の目地２９，２９を通して、整列貼設されるので、寸法の小さいタイル２９であっても、整然として外観品質が良好である。
【００４５】
従って、ユニット建物１０特有の先進性を象徴する様な現代的な外観を得られる。
【００４６】
また、これらのタイル２８は、前記建物ユニット端部ｍ０に最も近接したモジュール線ｍ１までの寸法ｄ（ｄ＝１０７ミリメートル）より僅かに小さい寸法ｗ１を一辺とし，ｈ１を他辺とする視覚上正方形（１００×１００ミリミートル）となるように構成されているので、隣接配置される建物ユニット１３，１３間でも、境界部分で突き合わせられる外壁パネル１５ａ，１５ａの下地板材２３，２３の間に跨ってタイル２８が貼設されることが無い。
【００４７】
このため、両側の外壁パネル１５ａ，１５ａの下地板材２３，２３が、各種の外力によって変位しても、これらのタイル２８が剥離することがない。
【００４８】
従って、予め工場内等で、外壁パネル２２，２３に、前記タイル２８…を全て貼設施工することが出来るので、更に、生産性を良好なものとすることができる。
【００４９】
更に、この実施の形態では、予め工場内等で、外壁パネル１５ａ，１５ｂの下地板材２３，２２に、前記タイル２８…を全て貼設施工して、前記１階建物ユニット１３及び２階建物ユニット１４に装着するようにしているので、水平台座等の上に、外壁パネル１５ａ，１５ｂ及び１６ａ，１６ｂの下地板材２３，２２を横臥させた状態で、前記タイル２８…を貼設作業できる。
【００５０】
このため、少なくとも、建物ユニット端部ｍ０，ｍ０同士が突き合わせられる部分では、前記下地板材２３，２２等を前記建物ユニット１３，１４に装着してから、縦面状の外壁に、これらの端部間に跨らせて貼設しなければならなかったものに比しても、作業性が良好で、更に生産性を良好なものとすることができる。
【００５１】
更に、全てのタイル２８…を、前記下地板材２３等に貼設完了してから、施工現場に搬送して、これらの下地板材２３を、建物外壁に装着するだけで、外観品質の良好な外壁を構成できる。
【００５２】
このため、モジュールピッチ寸法ａが、建物端部ｍ０で、不均等となりがちな建物に用いて好適な外壁パネル１５ａ，１５ｂ及び１６ａ及び１６ｂが提供される。
【００５３】
以上、図面を参照して、本発明の実施の形態を詳述してきたが、具体的な構成は、これらの実施の形態に限らず、本発明の要旨を逸脱しない程度の設計的変更は、本発明に含まれる。
【００５４】
例えば、前記実施の形態では、一辺を１００ミリメートルとする視覚上正方形のタイル２８を用いたものを示して説明してきたが、特にこれに限らず、例えば、１辺が１２０ミリメートルの視覚上正方形のタイル等、建物ユニット端部に最も近接したモジュール線までの寸法ｄより僅かに小さい寸法を一辺とする視覚上正方形のタイルであるならば、大きさや、材質、及び貼設位置等が特に限定されるものではない。
【００５５】
また、タイルは、厳密に正方形でなくとも視覚上正方形であればよく、具体的には、一辺に対する他辺の長さが±５％の範囲であればよい。
【００５６】
【発明の効果】
以上説明してきたように、この発明の請求項１に記載されたものによれば、視覚上正方形のタイルが、縦横に各タイル間に形成される目地を通して貼設されるので、寸法の小さいタイルであっても、整然として外観品質が良好である。
【００５７】
従って、ユニット建物特有の先進性を象徴する様な現代的な外観を得られる。
【００５８】
また、該タイルは、前記建物ユニット端部に最も近接した該モジュール線までの寸法より僅かに小さい寸法を一辺とするように構成されているので、外壁パネル間に跨ってタイルが貼設されることが無く、両側の外壁パネル間の変位によって剥離することがない。
【００５９】
このため、予め工場内等で、外壁パネルにタイルを全て貼設施工することが出来るので、生産性を良好なものとすることができる。
【００６０】
更に、請求項２記載のものでは、予め工場内等で、外壁パネルにタイルを全て貼設施工することが出来るので、生産性を良好なものとすることができる、という実用上有益な効果を発揮する。
【図面の簡単な説明】
【図１】この発明の実施の形態に係る建物ユニットが用いられたユニット建物を示す正面図である。
【図２】実施の形態の建物ユニットを用いたユニット建物の正面図である。
【図３】実施の形態の建物ユニットの構成を示し、図１中Ａ−Ａ線に沿った位置での断面図である。
【図４】建物ユニットの分解斜視図である。
【図５】従来の建物ユニットに用いられて、タイルが貼設された外壁パネルの一例を示す正面図である。
【図６】従来の建物ユニットに用いられて、タイルが貼設された外壁パネルの他の例を説明する正面図である。
【符号の説明】
１０            ユニット建物
建物ユニット
１３            １階建物ユニット
１４            ２階建物ユニット
１５ａ，１５ｂ，１６ａ，１６ｂ
外壁パネル
２８            タイル
２９          （縦）目地
３０          （横）目地
４０            外壁
【図１】
2004308277.tif 000003
【図２】
2004308277.tif 000004
【図３】
2004308277.tif 000005
【図４】
2004308277.tif 000006
【図５】
2004308277.tif 000007
【図６】
2004308277.tif 000008